(57)【要約】【目的】  省スペース化を可能とする浴湯改質装置を提供する。【構成】  浴槽（１）の壁面に設けられた開口部に、浴槽の内部に連通し、浴湯を電解する電解部（２）が設けられる。【選択図】図１
2005095323.tif 000002
【特許請求の範囲】
【請求項１】
浴槽の壁面に設けられた開口部に、浴槽の内部に連通し、浴湯を電解する電解部が設けられていることを特徴とする浴湯改質装置。
【請求項２】
浴槽の下部に電解部が設けられている請求項１記載の浴湯改質装置。
【請求項３】
電解部は、電解時に発生するガスが内部に溜まらず、浴槽内に抜けるようにされている請求項１又は２記載の浴湯改質装置。
【請求項４】
電解部が、浴槽に対して斜め上方を向いて取り付けられている請求項３記載の浴湯改質装置。
【請求項５】
電解部の上部に、浴槽に対して斜め上方を向く傾斜面部が設けられている請求項３記載の浴湯改質装置。
【発明の詳細な説明】
【技術分野】
【０００１】
この出願の発明は、浴湯改質装置に関するものである。さらに詳しくは、この出願の発明は、省スペース化を可能とする浴湯改質装置に関するものである。
【背景技術】
【０００２】
浴湯を電解（電気分解）を利用して改質することが行われており、電解により弱酸性水を浴槽に入れる方式、電極に銀を用いて浴湯を殺菌する方式等がある。このような浴湯を改質する浴湯改質装置では、浴槽に設けられた吸湯口から循環ポンプにより電解部に浴湯を送り、電解部において浴湯を改質し、浴槽に返送するのが一般的であった。（たとえば、特許文献１参照）。
【特許文献１】実開平５−４９０９６号公報
【発明の開示】
【発明が解決しようとする課題】
【０００３】
しかしながら、上記特許文献に記載された浴湯改質装置の場合、浴湯の循環のために循環ポンプ及び配管を配設する必要がある上、電解部の設置が必要でもあるため、その分のスペースを確保しなければならない。場合によっては、給湯器の取付けを阻害したり、気泡発生装置の併設が難しくなったり等する。
【０００４】
この出願の発明は、このような事情に鑑みてなされたものであり、省スペース化を可能とする浴湯改質装置を提供することを解決すべき課題としている。
【課題を解決するための手段】
【０００５】
この出願の発明は、上記の課題を解決するものとして、第１には、浴槽の壁面に設けられた開口部に、浴槽の内部に連通し、浴湯を電解する電解部が設けられていることを特徴とする浴湯改質装置を提供する。
【０００６】
この出願の発明は、第２には、上記第１の浴湯改質装置に関し、浴槽の下部に電解部が設けられていることを提供する。
【０００７】
この出願の発明は、第３には、上記第１又は第２の浴湯改質装置に関し、電解部は、電解時に発生するガスが内部に溜まらず、浴槽内に抜けるようにされていることを提供する。
【０００８】
この出願の発明は、第４には、上記第３の浴湯改質装置に関し、電解部が、浴槽に対して斜め上方を向いて取り付けられていることを提供する。
【０００９】
この出願の発明は、第５には、上記第３の浴湯改質装置に関し、電解部の上部に、浴槽に対して斜め上方を向く傾斜面部が設けられていることを提供する。
【発明の効果】
【００１０】
この出願の発明の第１の浴湯改質装置によれば、省スペース化が可能となる。
【００１１】
この出願の発明の第２の浴湯改質装置によれば、浴槽に湯をはる際に、電解部で湯はりを検知して電解運転を開始することができ、湯はりが完了してから短時間で入浴可能となる。
【００１２】
この出願の発明の第３の浴湯改質装置によれば、電解時に発生するガスが電解部の内部に溜まるのが抑制され、浴槽内に逃がすことができる。
【００１３】
この出願の発明の第４及び第５の浴湯改質装置によれば、第３の浴湯改質装置と同様に、電解時に発生するガスが電解部の内部に溜まるのが抑制され、浴槽内に逃がすことができる。
【発明を実施するための最良の形態】
【００１４】
以下、図面に沿ってこの出願の発明の浴湯改質装置についてさらに詳しく説明する。
【００１５】
図１は、この出願の発明の浴湯改質装置の概略を示した概要図である。
【００１６】
この図１に示したように、この出願の発明の浴湯改質装置では、浴槽（１）の壁面に設けられた開口部に、浴槽（１）の内部に連通し、浴湯を電解する電解部（２）が設けられている。このように、この出願の発明の浴湯改質装置では、電解部（２）が浴槽（１）の壁面に直接取り付けられるため、電解部（２）を設置するのに必要なスペースが削減され、しかも浴湯を循環させる循環ポンプや配管等が不要となり、省スペース化が図られている。
【００１７】
電解部（２）は、浴湯を電解するものであるが、その方式には様々なものが採用可能である。たとえば、陽極に銀を用い、浴湯内の菌を殺菌する方式や陽極にマグネシウムを用い、アルカリ水質にする方式、また、浴湯に塩化ナトリウム等を投入し、電解して浴湯に殺菌効果を持たせる方式等が例示される。
【００１８】
このような電解部（２）は、図１に示したように、浴槽（１）の下部に設けることができる。浴槽（１）の下部に設けることにより、浴槽（１）に湯をはる際に、電解部（２）で湯はりを検知して電解運転を開始することができ、湯はりが完了してから短時間で入浴可能となる。
【００１９】
また、電解部（２）は、電解時に発生するガスが内部に溜まらず、浴槽（１）内に抜けるようにすることができる。具体的には、図１に示したように、浴槽（１）に対して斜め上方を向いて取り付けることができる。これにより、図２の要部断面図に示したように、電解時に発生する水素等のガス（３）は、電解部（２）の上部から浴槽（１）内へ逃げ、電解部（２）の内部に溜まるのが抑制される。ガス（３）は電極（４）を被うことはなく、電極（４）（５）間での通電が確実となる。
【００２０】
電解部（２）については、図２に示したように、たとえば、本体ケース（６）と、本体ケース（６）に装着される防護カバー（７）とを備えたものとすることができる。防護カバー（７）は、電解により内部に発生した電解質が拡散可能で、電極（４）（５）に入浴者の指等が触れることのないような開口部が前面に形成されたものとすることができ、本体ケース（６）に対して着脱自在とすることができる。また、防護カバー（７）には、電極（４）（５）を着脱自在に設けることができ、本体ケース（６）への装着により、電極（４）（５）が、本体ケース（６）に設けられた固定電極（８）（９）に電気的に接続するようにすることができる。これにより、消耗される電極（４）（５）を防護カバー（７）の取外しにより交換することが可能となる。本体ケース（６）は、パッキン（１０）を介して固定ナット（１１）により浴槽（１）に固定することができる。
【００２１】
たとえば以上の構成とすることができる電解部（２）においては、図３に示したように、本体ケース（６）に装着される防護カバー（７）の上部に開口部（１２）を設けることができる。この開口部（１２）を通じて電解時に発生するガス（３）を浴槽（１）内に逃がすことができ、ガス（３）が電解部（２）の内部に溜まるのがより効果的に抑制される。
【００２２】
さらに、電解部（２）については、図４に示したように、上部に、浴槽（１）に対して斜め上方を向く傾斜面部（１３）を設けることもできる。この場合、電解部（２）を浴槽（１）に対して水平に取り付けることができ、このような取付けによっても、電解部（２）の内部にガス（３）が溜まるのが抑制され、浴槽（１）内に逃がすことができる。
【００２３】
もちろん、この出願の発明においては、電解部の構成及び構造等の細部については様々な態様が可能であることはいうまでもない。
【産業上の利用可能性】
【００２４】
以上詳しく説明したとおり、この出願の発明によって、省スペース化を可能とする浴湯改質装置が提供される。
【図面の簡単な説明】
【００２５】
【図１】この出願の発明の浴湯改質装置の概略を示した概要図である。
【図２】電解部について示した要部断面図である。
【図３】電解部の一形態を示した要部断面図である。
【図４】電解部の一形態を示した要部断面図である。
【符号の説明】
【００２６】
１    浴槽
２    電解部
３    ガス
４、５    電極
６    本体ケース
７    防護カバー
８、９    固定電極
１０    パッキン
１１    固定ナット
１２    開口部
１３    傾斜面部
【図１】
2005095323.tif 000003
【図２】
2005095323.tif 000004
【図３】
2005095323.tif 000005
【図４】
2005095323.tif 000006